(57)【要約】【課題】ポリウレタン発泡体等の合成樹脂発泡体からなるパットの利点と、不織布等からなるパットの利点を併せ持ち、成型性や保形性に優れているとともに、女性の胸の下側等の汗をかきやすい所望箇所の通気性を向上させることが可能な装身用パット及びその製造方法を提供することを課題とする。【解決手段】人体の所望箇所に装着する装身用パットにおいて、前記装身用パットは、互いに素材又は特性の異なる第１のパット部材と第２のパット部材とを互いに接合して構成して課題を解決した。【選択図】図１
2007162147.tif 000002
【特許請求の範囲】
【請求項１】
人体の所望箇所に装着する装身用パットにおいて、
前記装身用パットは、互いに素材又は特性の異なる第１のパット部材と第２のパット部材とを互いに接合して構成したことを特徴とする装身用パット。
【請求項２】
前記第２のパット部材は、第１のパット部材よりも厚く形成されていることを特徴とする請求項１に記載の装身用パット。
【請求項３】
前記第１のパット部材と第２のパット部材は、縫い糸を用いて縫着することによって互いに接合されていることを特徴とする請求項１又は２に記載の装身用パット。
【請求項４】
前記装身用パットは、女性のバストに装着する乳房パットからなり、前記第２のパット部材は、第１のパット部材よりも厚く形成されているとともに、当該第２のパット部材は、少なくとも女性のバストの人体外側に配置されていることを特徴とする請求項１乃至３のいずれかに記載の装身用パット。
【請求項５】
前記第２のパット部材は、第１のパット部材よりも厚く形成されているとともに、当該第２のパット部材は、第１のパット部材の人体外側に配置されていることを特徴とする請求項１乃至４のいずれかに記載の装身用パット。
【請求項６】
人体の所望箇所に装着する装身用パットの製造方法において、
合成樹脂発泡体からなる第１のパット部材を加熱加圧成型する工程と、
不織布からなる第２のパット部材を成形する工程と、
前記第１のパット部材と第２のパット部材を互いに接合する工程とからなることを特徴とする装身用パットの製造方法。
【発明の詳細な説明】
【技術分野】
【０００１】
この発明は、ブラジャー、ブラスリップ、ボディスーツ、オールインワン、ボディシェイパー、スーツ、ジャケット、ドレス等の衣料用乳房パットや衣服用肩パット、女性用水着に使用する水着用パット、運動用衣服に使用する肩当て、胸当て、肘当て等の各種運動用パット、更にはサポーター等に使用される保護用パット等の各種の衣服に取り付けられて使用される装身用パット及びその製造方法に関するものである。
【背景技術】
【０００２】
【特許文献１】特開平５−２６３３０３号公報
【０００３】
従来、この種の装身用パットは、ブラジャー、ブラスリップ、ボディスーツ、オールインワン、ボディシェイパー、スーツ、ジャケット、ドレス等の衣料用乳房パットや衣服用肩パットなどのように、女性用や男性用の衣料や衣服などの一部を構成するものとして、広く使用されている。これらの装身用パットは、乳房や肩などの形を整えたり、プロポーションを美しく見せるため、ブラジャーやボディスーツ、あるいはスーツやジャケット等の女性用や男性用の衣料や衣服などの胸部や肩部トうに、モールド成型などにより成形された乳房パットや肩パットとして装着されるように構成されている。
【０００４】
そして、このような装身用の各種パットとしては、例えば、ポリウレタン発泡体、ポリエチレン発泡体、ポリ塩化ビニル発泡体等の種々の合成樹脂発泡体をそのまま所定の形状にモールド成型等により成形したものや、これらの合成樹脂発泡体で成形した芯体の表面を適当な生地等からなる表地で被覆したもの、あるいは不織布用の繊維であるファイバーフィルのシート体を芯体として所定の形状にモールド成型等により成形したものなどが使用されている（特開平５−２６３３０３号公報など）。
【発明の開示】
【発明が解決しようとする課題】
【０００５】
しかしながら、上記従来技術の場合には、次のような問題点を有している。すなわち、上記従来の装身用パットのうち、前者のポリウレタン発泡体等の合成樹脂発泡体をそのまま所定の形状にモールド成型（圧縮熱成型）等により成形した装身用パットの場合には、成型性や保形性は良好であるものの、ポリウレタン発泡体等の合成樹脂発泡体が、圧縮されているため、通気性がなく、特に夏季の蒸し暑い時期には、女性の胸の下側に汗をかきやすく、不快感を招くという問題点を有していた。
【０００６】
一方、上記従来の装身用パットのうち、後者の不織布用の繊維であるファイバーフィルのシート体を芯体として所定の形状にモールド成型等により成形した装身用パットの場合には、ポリウレタン製のパットと比較して、通気性に優れているが、保形性が低いため、使用している間に、型崩れしやすく、美しいバストカップを創出することが困難であるという問題点を有していた。
【０００７】
そこで、この発明は、上記従来技術の問題点を解決するためになされたものであり、その目的とするところは、ポリウレタン発泡体等の合成樹脂発泡体からなるパットの利点と、不織布等からなるパットの利点を併せ持ち、成型性や保形性に優れているとともに、女性の胸の下側等の汗をかきやすい所望箇所の通気性を向上させることが可能な装身用パット及びその製造方法を提供することにある。
【課題を解決するための手段】
【０００８】
すなわち、請求項１に記載された発明は、人体の所望箇所に装着する装身用パットにおいて、
前記装身用パットは、互いに素材又は特性の異なる第１のパット部材と第２のパット部材とを互いに接合して構成したことを特徴とする装身用パットである。
【０００９】
この発明では、例えば、人体の所望箇所に装着する装身用パットにおいて、
前記装身用パットは、加熱加圧成型された合成樹脂発泡体からなる第１のパット部材と、不織布からなる第２のパット部材とを互いに接合して構成される。
【００１０】
本発明の基本的な構成としては、ブラジャ−等のバストを保形又は補正するパッド体を、必要な領域（第１のパット部材と第２のパット部材など）にデザイン区分をし、当該求める機能領域に必要且つ適切な、組成又は組織を備えた素材によって構成した装身用パットである。
【００１１】
ここで、必要な領域とは、１）バストシルエットを保持又は補正する等の機能を構成する領域と、生理的な通気性や吸汗性機能を構成する領域、２）通気性、弾力性又はソフト性機能を構成する領域と剛性等の相反する機能を構成する領域、３）発泡体の肌理が細かい領域と、通気性を備えた肌理が荒い領域、４）肉厚の薄い領域と、肉厚の厚い領域、５）以上の前者を第１の領域、後者を第２の領域としたとき、当該第１の領域と第２の領域を接続するか又は機能を中和する第３の領域などを意味する。
【００１２】
上記第１の領域及び第２の領域の素材としては、次のような種々のものが挙げられる。
第１に、ａ：発泡（組成は問わないが被膜を備えたもの）シート体及び成型体（熱プレスによって通気性に欠ける）又はスライスシート体（被膜を取った通気性のあるシート体）、ｂ：独立気泡体（難黄変タイプ）と連続気泡体（通常のポリウレタン系）、ｃ：ポリウレタン又はポリエチレン又はエステル系発泡体（独立気泡）、ダブルラッセルシート（トリコット編、丸編等）、ｄ：上記発泡体とファイバーフィル（エステル系を主とするが組成は問わない）ものが挙げられる。
【００１３】
第２に、ａ：ストレッチ性発泡シート又は成型体と、非ストレッチ性発泡シート、ｂ：上記発泡体と上記ダブルラッセルシート（中空糸又は編組織が硬い等）、ｂ：上記発泡体とファイバーフィル（ハード加工）などが挙げられる。ここでは、発泡シートには、低反発性のものも含むものである。
【００１４】
第３に、ａ：ポリエチレン、ポリウレタン、エステル系を含む発泡密度の高いスキンシート体と、ポリエチレン、ポリウレタン、エステル系を含む連続発泡体の密度の粗いシート体、ｂ：エラスティックシート体と非伸縮性発泡シート又は発泡成型体、ｃ：上記の各素材と、当該素材のコーティング体（コーティング素材並びに編織等の組織は問わない）などが挙げられる。
【００１５】
第４に、ａ：シート及び成型体とシート体、ｂ：上記素材と、当該素材のコーティング体、ｃ：発泡シート及びダブルラッセルシートと、成型体及び合成体などが挙げられる。
【００１６】
第５に、ａ：ストレッチ領域、準ストレッチ領域、非ストレッチ領域、ｂ：ソフト領域、準ソフト領域、ハード領域、ｃ：薄手領域、準薄手領域、厚手領域、ｄ：チェスト領域（フレキシブル）、トップバスト領域（セミフレキシブル）、バストアンダーサイド領域（コントロール）などからものが挙げられる。
【００１７】
また、上記第１のパット体及び第２のパッド体などの成型方法としても、１）シート体とシート体、２）シート体と成型体、３）成型体とシート体、４）発泡体と発泡体、５）発泡体と非発泡体、６）非発泡体と非発泡体など、種々の組み合わせが可能である。
【００１８】
更に成型方式にしても、１）成型と成型、２）成型と非成型、３）非成型、非成型と成型等、様々な組み合わせが可能である。
【００１９】
更には、スライスによって製造できる部材（チェスト部が硬く厚くならないため）と、ノンスライス部材（カップ周りは多少ハード化する方が良いことから必要な厚みに圧縮ができる）との組み合わせも可能である。
【００２０】
その際、第１のパット体は成型で、第２のパッド体はシート体で形成することが可能である。
【００２１】
かかる請求項１に記載された発明によれば、加熱加圧成型された合成樹脂発泡体などからなる第１のパット部材によって、成形性や保形性を確保することができるとともに、不織布などからなる第２のパット部材によって通気性を発揮させることができる。
【００２２】
また、請求項２に記載された発明は、前記第２のパット部材は、第１のパット部材よりも厚く形成されていることを特徴とする請求項１に記載の装身用パットである。
【００２３】
さらに、請求項３に記載された発明は、前記第１のパット部材と第２のパット部材は、縫い糸を用いて縫着することによって互いに接合されていることを特徴とする請求項１又は２に記載の装身用パットである。
【００２４】
又、請求項４に記載された発明は、前記装身用パットは、女性のバストに装着する乳房パットからなり、前記第２のパット部材は、第１のパット部材よりも厚く形成されているとともに、当該第２のパット部材は、少なくとも女性のバストの人体外側に配置されていることを特徴とする請求項１乃至３のいずれかに記載の装身用パットである。
【００２５】
更に、請求項５に記載された発明は、前記第２のパット部材は、第１のパット部材よりも厚く形成されているとともに、当該第２のパット部材は、少なくとも女性のバストのとも人体外側に配置されていることを特徴とする請求項１乃至４のいずれかに記載の装身用パットである。
【００２６】
また、請求項６に記載された発明は、人体の所望箇所に装着する装身用パットの製造方法において、
合成樹脂発泡体からなる第１のパット部材を加熱加圧成型する工程と、
不織布からなる第２のパット部材を成形する工程と、
前記第１のパット部材と第２のパット部材を互いに接合する工程とからなることを特徴とする装身用パットの製造方法である。
【発明の効果】
【００２７】
この発明によれば、ポリウレタン発泡体等の合成樹脂発泡体からなるパットの利点と、不織布等からなるパットの利点を併せ持ち、成型性や保形性に優れているとともに、女性の胸の下側等の汗をかきやすい所望箇所の通気性を向上させることが可能な装身用パット及びその製造方法を提供することができる。
【発明を実施するための最良の形態】
【００２８】
以下に、この発明の実施の形態について図面を参照して説明する。
【００２９】
実施の形態１
図１はこの発明の実施の形態１に係る装身用パットを適用した女性用衣料（下着）としてのブラジャーを示すものである。
【００３０】
図１において、１は女性用衣料（下着）としてのブラジャーを示すものであり、このブラジャー１は、女性のバストをそれぞれ覆う左右のバストカップ部２、３を備えている。これらの左右のバストカップ部２、３は、当該左右のバストカップ部２、３の下端縁の内側に縫着された中央部連結布４によって、互いに一体的に連結されているとともに、当該左右のバストカップ部２、３の下端縁の外側には、側布５、６がそれぞれ縫着されている。また、上記左右の側布の外側には、女性の体の背面側で互いに係止されるバック布７、８がそれぞれ縫着されており、これら左右のバック布７、８の先端部には、フックやアイ等からなる図示しない係止具が、縫着等の手段によって取り付けられている。また、上記左右のバストカップ部２、３の下端縁には、必要に応じて、略Ｕ字形状に形成されたボーン９が縫着されるようになっている。なお、図示例では、左右のバストカップ部２、３が女性のバストの略１／２を覆う、ストラップレスのハーフカップ（１／２）タイプとなっているが、これに限定されるものではなく、左右のバストカップ部２、３の上端部にそれぞれストラップを備えた３／４タイプのカップ等であっても良いことは勿論である。
【００３１】
上記左右のバストカップ部２、３は、図２に示すように、装身用パットとしての乳房パット１０と、この乳房パット１０の表面を覆う表地１１と、乳房パット１０の裏面を覆う裏地１２とからそれぞれ構成されている。
【００３２】
ところで、この実施の形態では、人体の所望箇所に装着する装身用パットにおいて、前記装身用パットは、加熱加圧成型された合成樹脂発泡体からなる第１のパット部材と、不織布からなる第２のパット部材とを互いに接合して構成されている。
【００３３】
また、この実施の形態では、前記第２のパット部材は、第１のパット部材よりも厚く形成されている。
【００３４】
すなわち、この実施の形態に係る乳房パット１０は、図１及び図２に示すように、モールド成型（加熱加圧成型）された合成樹脂発泡体としてのポリウレタン発泡体からなる第１のパット部材１３と、不織布からなる第２のパット部材１４とから構成されている。上記第１のパット部材１３は、ハーフカップ（１／２）として構成されたバストカップ部２、３の全体を構成するものではなく、図３に示すように、当該バストカップ部２、３の上側略２／３を構成するように形成されており、その下端縁１５は、下側に向けて凸状に湾曲した曲線を形成するようになっている。
【００３５】
上記第１のパット部材１３は、通常のポリウレタン発泡体からなるパットと同様に、モールド成型工程によって製造されるが、上述したように、当該第１のパット部材１３は、その形状が通常のポリウレタン発泡体からなるパットと異なっている。
【００３６】
つまり、上記第１のパット部材１３は、ハーフカップ（１／２）として構成されたバストカップ部２、３の上上側略２／３のみを構成するように形成されている。そのため、この第１のパット部材１３は、上端縁１６がテーパー状に徐々に薄肉となるように形成されているとともに、バストトップ部１７が突出した形状であって、下端縁１５が本来のパット全体を略２／３の部分でカットした形状に形成されている。この第１のパット部材１３は、図３に示す形状に成型しても勿論よいが、当該第１のパット部材１３としては、通常のハーフカップ（１／２）として構成されたバストカップ部に対応して形成されたパットを、略２／３の部分でカットするように構成しても良い。
【００３７】
こうすることによって、従来のポリウレタン発泡体からなるパットをそのまま利用することができ、又、第２のパット部材１４のみを替えることによって、種々のサイズの乳房パットに対応することができ、製造コストを大幅に削減することが可能となる。
【００３８】
一方、上記第２のパット部材１４は、図４に示すように、不織布からなるブロック体２０を、略三日月形状のパット部材１４にカットして構成されている。この不織布製のブロック体２０は、その厚さが成型後の第１のパット部材１３の下端縁１５よりも厚く設定されている。この不織布からなる第２のパット部材１４は、平面形状が略三日月形状になるように形成されているが、その肉厚は、一定の厚さに設定されている。
【００３９】
上記不織布からなる第２のパット部材１４は、図５に示すように、第１のパット部材１３の下端縁１５と縫い糸２１を用いて縫着することによって一体的に接合されるが、場合によっては、接着等の手段で一体的に接合しても良い。その際、上記第１のパット部材１３は、肉厚が薄くならないように、第２のパット部材１４と縫着され、この第２のパット部材１４は、第１のパット部材１３と縫着されることによって、当該第１のパット部材１３と同程度の厚さとなる。
【００４０】
また、上記不織布からなる第２のパット部材１４は、図５に示すように、その下端縁１８にそって縫い糸２１を用いて縫着されることによって、乳房パット１０の下端縁の構成する薄肉となるように構成されている。
【００４１】
上記不織布からなる第２のパット部材１４は、図６に示すように、女性のバストＢの下端縁に沿った位置に配設されるようになっている。その際、上記女性のバストＢの形状は、図６に示すように、年齢や体型等によって異なる（変化する）ため、当該女性のバストＢの形状に合わせて、第２のパット部材の形状（厚さや幅、あるいは湾曲形状など）を複数異なったものを用意するのが望ましい。
【００４２】
上記の如く構成される乳房パット１０は、例えば、合成樹脂発泡体からなる第１のパット部材１３を加熱加圧成型する工程と、不織布からなる第２のパット部材１４を成形する工程と、前記第１のパット部材１３と第２のパット部材１４を縫い糸２１によって互いに接合する縫製工程とによって製造される。
【００４３】
以上の構成において、この実施の形態１に係る装身用パットは、次のようにして、ポリウレタン発泡体等の合成樹脂発泡体からなるパットの利点と、不織布等からなるパットの利点を併せ持ち、成型性や保形性に優れているとともに、女性の胸の下側等の汗をかきやすい所望箇所の通気性を向上させることが可能となっている。
【００４４】
すなわち、この実施の形態１に係る装身用パットとしての乳房パット１０は、図１及び図２に示すように、乳房パット１０として成型性及び保形性が重要視される部分を、ポリウレタン発泡体からなる第１のパット部材１３によって形成するとともに、女性のバストの下部に相当する汗をかきやすい部分に、不織布からなる第２のパット部材１４によって形成し、これらを一体的に接合することによって、当該乳房パット１０が型崩れするのを防止して、美しいバストカップを創出することができ、しかも、汗をかきやすい部分は、不織布からなる第２のパット部材１４で構成しているので、通気性にも優れて、着用感が極めて良好な乳房パットを提供することができるようになっている。
【００４５】
なお、上記実施の形態１では、図３に示すように、第１のパット部材１３と、第２のパット部材１４とを互いに縫着した場合について説明したが、これに限定されるものではなく、図１１に示すように、第１のパット部材１３と、第２のパット部材１４とを互いにシート状の接着剤を介して、互いに接着するように構成しても良い。この場合には、図１２に示すように、第１のパット部材１３の接合面と、第２のパット部材１４の接合面との間に、熱溶融性の素材からなるシート状の接着剤３０を介在させ、これら第１のパット部材１３の接合面と第２のパット部材１４の接合面とを、図１３に示すように、熱溶融性の素材からなるシート状の接着剤３０を介して密着させ、接合部をアイロン等で加熱して、熱溶融性の素材からなるシート状の接着剤３０を溶融させることによって、第１のパット部材１３と第２のパット部材１４とを接合させるように構成しても良い。
【００４６】
このように構成した場合には、接合面が表に響かないとともに、裏面つまり肌側に縫い目があたらないため、自然な感じで気にならず、又痛くないという効果を有している。
【００４７】
実施の形態２
図７はこの発明の実施の形態２を示すものであり、前記実施の形態１と同一の部分には同一の符号を付して説明すると、この実施の形態２では、第２のパット部材の形状及び／又は配置が、前記実施の形態１と異なるように構成されている。
【００４８】
すなわち、この実施の形態２では、図７に示すように、第２のパット部材１４の形状が前記実施の形態１と異なるように構成されている。この第２のパット部材１４は、左右のバストカップ部２、３の下側略１／３を構成するのではなく、当該左右のバストカップ部の中央部の略下側略１／３の位置３１から、当該左右のバストカップ部の下側、及び左右のバストカップ部の体側寄りを所定の一定の幅にわたって、バストカップ部の体側寄りの上端部３２までを覆うように、略カタカナの「ノ」の字形状に形成されている。
【００４９】
このように、上記第２のパット部材１４の形状を設定することによって、当該第２のパット部材１４によって女性のバストＢを下側及び外側から寄せて上げる効果をも発揮させることができ、しかも、女性の胸の下側等の汗をかきやすい所望箇所の通気性を向上させることが可能となっている。
【００５０】
図８は発明の実施の形態２に係る装身用パットの変形例を示すものである。
【００５１】
この装身用パットとしての乳房パット１０は、図８に示すように、硬くて厚みのある第２のパット部材１４が、左右のバストカップ部２、３の体側寄りのサイドにのみ設けられている。この第２のパット部材１４は、密度が前記実施の形態１に係る不織布よりも高く、硬度が高く設定された硬い不織布を用いており、しかも、当該第２のパット部材１４の厚みを、前記実施の形態１よりも厚く設定することによって、女性のバストＢを寄せて上げる効果をより一層発揮するように構成されている。
【００５２】
図９は発明の実施の形態２に係る装身用パットの更なる変形例を示すものである。
【００５３】
この装身用パットとしての乳房パット１０は、図９に示すように、第２のパット部材１４を、左右のバストカップ部２、３の上端縁にのみ設けるように構成されている。この実施の形態では、図６に示すように、年齢が高くなるにつれて女性のバストＢの垂下が進行していくとともに、バストＢ上部のチェストと呼ばれる部分が痩せた状態となる。そこで、この実施の形態では、左右のバストカップ部２、３の上端縁に第２のパット部材１４を設けることによって、チェスト部分のボリュームを出すことが可能となっている。なお、この実施の形態においても、同時に、左右のバストカップ部２、３の下端縁に沿って第２のパット部材１４を設けても良いことは勿論である。
【００５４】
図１０は発明の実施の形態２に係る装身用パットの更なる変形例を示すものである。
【００５５】
この装身用パットとしての乳房パット１０は、図１０に示すように、硬い不織布からなる三日月形状に形成された第２のパット部材１４を、左右のバストカップ部２、３の上端縁にわたって設けることにより、垂下した女性のバストＢをしっかりサポートすることによって、バストＢの下側のみならず、内外の側面にわたって第２のパット部材１４を設けることによって、バストＢのボリュームアップを図りつつ、通気性を一層向上させるように構成されている。
【００５６】
図１４は発明の実施の形態２に係る装身用パットの更なる変形例を示すものである。
【００５７】
この変形例では、図１４に示すように、第２のパット部材１４を、バストの体側寄りの部分１４ａと、バストのセンター寄りの部分１４ｂとから構成し、バストの体側寄りの部分１４ａによって、サイドからバストを寄せる機能を発揮しつつ、バストのセンター寄りの部分１４ｂによって、バストを下から持ち上げることができ、２つの効果を同時に発揮することができる。
【００５８】
その他の構成及び作用は、前記実施の形態１と同様であるので、その説明を省略する。
【００５９】
なお、本発明の応用例としては、成型方式による帽子や、ヒップパッド、サポーター（医療用を含む）ウェストベルト（ダブルラッセル等のストレッチ性素材など）などが挙げられる。
【図面の簡単な説明】
【００６０】
【図１】図１はこの発明の実施の形態１に係る装身用パットとしての乳房パットを適用したブラジャーを示す構成図である。
【図２】図２はこの発明の実施の形態１に係る装身用パットとしての乳房パットを適用したブラジャーのカップ部を示す断面図である。
【図３】図３はこの発明の実施の形態１に係る装身用パットとしての乳房パットを示す平面構成図及び断面構成図である。
【図４】図４はこの発明の実施の形態１に係る装身用パットとしての乳房パットの製造工程を示す説明図である。
【図５】図５はこの発明の実施の形態１に係る装身用パットとしての乳房パットの製造工程を示す構成図である。
【図６】図６は女性のバスト形状の変化を示す説明図である。
【図７】図７はこの発明の実施の形態２に係る装身用パットとしての乳房パットを適用したブラジャーを示す構成図である。
【図８】図８はこの発明の実施の形態２に係る装身用パットとしての乳房パットを適用したブラジャーの変形例を示す構成図である。
【図９】図９はこの発明の実施の形態２に係る装身用パットとしての乳房パットを適用したブラジャーの変形例を示す構成図である。
【図１０】図１０はこの発明の実施の形態２に係る装身用パットとしての乳房パットを適用したブラジャーの変形例を示す構成図である。
【図１１】図１１はこの発明の実施の形態１に係る装身用パットとしての乳房パットの変形例を示す構成図である。
【図１２】図１２は図１１の乳房パットの製造工程を示す説明図である。
【図１３】図１３は図１１の乳房パットの製造工程を示す説明図である。
【図１４】図１４はこの発明の実施の形態２に係る装身用パットとしての乳房パットを適用したブラジャーの他の変形例を示す構成図である。
【符号の説明】
【００６１】
１：ブラジャー、２、３：バストカップ部、１０：乳房パット、１３：第１のパット部材、１４：第２のパット部材。
【図１】
2007162147.tif 000003
【図２】
2007162147.tif 000004
【図３】
2007162147.tif 000005
【図４】
2007162147.tif 000006
【図５】
2007162147.tif 000007
【図６】
2007162147.tif 000008
【図７】
2007162147.tif 000009
【図８】
2007162147.tif 000010
【図９】
2007162147.tif 000011
【図１０】
2007162147.tif 000012
【図１１】
2007162147.tif 000013
【図１２】
2007162147.tif 000014
【図１３】
2007162147.tif 000015
【図１４】
2007162147.tif 000016